(57)【要約】【解決手段】両支持バー１０の一端部側から第一の配線ボックス１ａの各挿通部３を両支持バー１０に挿通するとともに、両支持バー１０の他端部側から第二の配線ボックス１ｂの各挿通部３を両支持バー１０に挿通して、両配線ボックス１ａ，１ｂの各被係合面９を両支持バー１０の係合面１６に係合させ、両配線ボックス１ａ，１ｂが互いに近接する向きＸａ，Ｘｂへ移動するのを規制することにより、両配線ボックス１ａ，１ｂ間の間隔Ｇを保持するように両配線ボックス１ａ，１ｂを支持するとともに、両配線ボックス１ａ，１ｂが両支持バー１０の軸線１０ａ回りで回動するのを規制することより、両配線ボックス１ａ，１ｂが所定の位置関係を維持するように両配線ボックス１ａ，１ｂを支持する。【効果】両配線ボックス１ａ，１ｂを互いに並べて配設する場合、両配線ボックス１ａ，１ｂの動きを確実に規制して両配線ボックス１ａ，１ｂを良好な状態で支持する。【選択図】図３
2005163277.tif 000002
【特許請求の範囲】
【請求項１】
支持バーによりコンクリート埋設物を支持するコンクリート埋設物支持構造であって、
この支持バーの一端部と他端部との間に係合部を設けるとともに、第一及び第二のコンクリート埋設物には、この支持バーが挿通される挿通部と、この挿通部に挿通された支持バーの係合部に係合する被係合部とを設け、
この支持バーの一端部側から第一のコンクリート埋設物の挿通部を支持バーに挿通するとともに、この支持バーの他端部側から第二のコンクリート埋設物の挿通部を支持バーに挿通して、この両コンクリート埋設物の被係合部を支持バーの係合部に係合させ、両コンクリート埋設物が互いに近接する向きへ移動するのを規制することにより、両コンクリート埋設物間の間隔を保持するように両コンクリート埋設物を支持する
ことを特徴とするコンクリート埋設物支持構造。
【請求項２】
支持バーによりコンクリート埋設物を支持するコンクリート埋設物支持構造であって、
この支持バーの一端部と他端部との間に係合部を設けるとともに、第一及び第二のコンクリート埋設物には、この支持バーが挿通される挿通部と、この挿通部に挿通された支持バーの係合部と係合する被係合部とを設け、
この支持バーの一端部側から第一のコンクリート埋設物の挿通部を支持バーに挿通するとともに、この支持バーの他端部側から第二のコンクリート埋設物の挿通部を支持バーに挿通して、この両コンクリート埋設物の被係合部を支持バーの係合部に係合させ、両コンクリート埋設物が支持バーの軸線回りで回動するのを規制することより、両コンクリート埋設物が所定の位置関係を維持するように両コンクリート埋設物を支持する
ことを特徴とするコンクリート埋設物支持構造。
【請求項３】
支持バーによりコンクリート埋設物を支持するコンクリート埋設物支持構造であって、
この支持バーの一端部と他端部との間に係合部を設けるとともに、第一及び第二のコンクリート埋設物には、この支持バーが挿通される挿通部と、この挿通部に挿通された支持バーの係合部と係合する被係合部とを設け、
この支持バーの一端部側から第一のコンクリート埋設物の挿通部を支持バーに挿通するとともに、この支持バーの他端部側から第二のコンクリート埋設物の挿通部を支持バーに挿通して、この両コンクリート埋設物の被係合部を支持バーの係合部に係合させ、
両コンクリート埋設物が互いに近接する向きへ移動するのを規制することにより、両コンクリート埋設物間の間隔を保持するように両コンクリート埋設物を支持するとともに、両コンクリート埋設物が支持バーの軸線回りで回動するのを規制することより、両コンクリート埋設物が所定の位置関係を維持するように両コンクリート埋設物を支持する
ことを特徴とするコンクリート埋設物支持構造。
【請求項４】
前記支持バーの一端部側が第一のコンクリート埋設物から突出する寸法と、前記支持バーの他端部側が第二のコンクリート埋設物から突出する寸法とを互いに等しくしたことを特徴とする請求項１または請求項３に記載のコンクリート埋設物支持構造。
【請求項５】
第一のコンクリート埋設物と第二のコンクリート埋設物との間の間隔としてコンクリート流入隙間をあけるようにこの両コンクリート埋設物を支持バーに配設したことを特徴とする請求項１または請求項３または請求項４に記載のコンクリート埋設物支持構造。
【請求項６】
前記支持バーは互いに間隔をあけて設けられた第一及び第二の係合部を有し、この支持バーの第一の係合部は前記第一のコンクリート埋設物の被係合部に係合し、この支持バーの第二の係合部は前記第二のコンクリート埋設物の被係合部に係合することを特徴とする請求項１から請求項５のうちいずれかの請求項に記載のコンクリート埋設物支持構造。
【請求項７】
前記両コンクリート埋設物の挿通部は、そのコンクリート埋設物の壁を切り起こすことにより、この壁に形成した貫通孔と、この貫通孔に面して壁から突出する膨出部とを有し、この挿通部の膨出部の内側に形成した支持孔に前記支持バーを挿通することを特徴とする請求項１から請求項６のうちいずれかの請求項に記載のコンクリート埋設物支持構造。
【請求項８】
前記両コンクリート埋設物の挿通部において膨出部内の支持孔は支持バーが挿通し得る両側の開口を有し、前記両コンクリート埋設物の被係合部はこの挿通部において両開口間で膨出部の内面に形成されていることを特徴とする請求項７に記載のコンクリート埋設物支持構造。
【請求項９】
前記膨出部内の被係合部は、両開口のうち一方の開口から他方の開口に至るほど、両開口を結ぶ中心線に対し接近するように傾斜していることを特徴とする請求項８に記載のコンクリート埋設物支持構造。
【請求項１０】
前記支持バーは前記膨出部の両開口に挿通し得る棒状部を主体とし、この支持バーの係合部は、この棒状部から突出するように形成され、この両開口のうち一方の開口から挿入されて前記膨出部内の被係合部に係合し得ることを特徴とする請求項８または請求項９に記載のコンクリート埋設物支持構造。
【請求項１１】
前記支持バーの係合部は、前記棒状部を押し潰して成形した圧潰部に形成されていることを特徴とする請求項１０に記載のコンクリート埋設物支持構造。
【請求項１２】
前記支持バーはコンクリート構築物の支骨となる鉄筋に取着され、このコンクリート構築物を成形するための型枠に対し両コンクリート埋設物を支持バーの弾性力により押圧したことを特徴とする請求項１から請求項１１のうちいずれかの請求項に記載のコンクリート埋設物支持構造。
【請求項１３】
コンクリート埋設物を支持する支持バーであって、
第一のコンクリート埋設物に設けられた挿通部に挿通される一端部と、第二のコンクリート埋設物に設けられた挿通部に挿通される他端部とを有し、
この一端部と他端部との間には、その一端部側から挿通された第一のコンクリート埋設物に設けた被係合部と、その他端部側から挿通された第二のコンクリート埋設物に設けた被係合部とに係合してこの両コンクリート埋設物が互いに近接する向きへ移動するのを規制することにより両コンクリート埋設物間の間隔を保持するための係合部を設けた
ことを特徴とするコンクリート埋設物の支持バー。
【請求項１４】
コンクリート埋設物を支持する支持バーであって、
第一のコンクリート埋設物に設けられた挿通部に挿通される一端部と、第二のコンクリート埋設物に設けられた挿通部に挿通される他端部とを有し、
この一端部と他端部との間には、その一端部側から挿通された第一のコンクリート埋設物に設けた被係合部と、その他端部側から挿通された第二のコンクリート埋設物に設けた被係合部とに係合してこの両コンクリート埋設物が支持バーの軸線回りで回動するのを規制することにより両コンクリート埋設物が所定の位置関係を維持するための係合部を設けた
ことを特徴とするコンクリート埋設物の支持バー。
【請求項１５】
コンクリート埋設物を支持する支持バーであって、
第一のコンクリート埋設物に設けられた挿通部に挿通される一端部と、第二のコンクリート埋設物に設けられた挿通部に挿通される他端部とを有し、
この一端部と他端部との間には、その一端部側から挿通された第一のコンクリート埋設物に設けた被係合部と、その他端部側から挿通された第二のコンクリート埋設物に設けた被係合部とに係合して、この両コンクリート埋設物が互いに近接する向きへ移動するのを規制することにより両コンクリート埋設物間の間隔を保持するとともに、この両コンクリート埋設物が支持バーの軸線回りで回動するのを規制することにより両コンクリート埋設物が所定の位置関係を維持するための係合部を設けた
ことを特徴とするコンクリート埋設物の支持バー。
【発明の詳細な説明】
【技術分野】
【０００１】
本発明は、コンクリート構築物の支骨となる鉄筋に取着される支持バーに複数のコンクリート埋設物を支持するコンクリート埋設物支持構造及びそのコンクリート埋設物の支持バーに関するものである。
【背景技術】
【０００２】
下記特許文献１では、互いに並べられた両取付け板２に棒状の各支持部材Ｃが挿通され、この両取付け板２にボックスＢが取り付けられ、この各支持部材Ｃが鉄筋１８に固定されるとともに、この両ボックスＢが型枠２２に対し各支持部材Ｃの弾性力により押圧される。
【特許文献１】特開昭６３−１４２１５４号公報
【発明の開示】
【発明が解決しようとする課題】
【０００３】
しかし、取付け板２にボックスＢを取り付ける作業は大変面倒であった。また、ビス８により支持部材Ｃに取付け板２を固定したとしても、支持部材Ｃに対するビス８の圧接だけでは、支持部材Ｃに対するビス８の緩みが生じ易いため、ボックスＢを取り付けた取付け板２の動きを確実に規制することは難しく、コンクリートの打設圧に耐え得るだけの力でボックスＢを固定することはできなかった。そのため、両ボックスＢの間隔を一定に保持することができなかった。
【０００４】
さらに、取付け板２に支持部材Ｃを挿通した状態で支持部材Ｃの両側は取付け板２の両側から突出し、それらの突出寸法を互いに略等しくして、支持部材Ｃを鉄筋１８に固定した際にボックスＢを良好な状態で支持し得るようにしている。ところが、取付け板２が支持部材Ｃの軸線方向へ不用意に移動すると、これらの突出寸法に差が生じたことに気付かないまま支持部材Ｃを鉄筋１８に固定するおそれがあるため、ボックスＢを良好な状態で支持することが困難になるばかりではなく、たとえ突出寸法の差に気付いたとしてもこれらの突出寸法を互いに略等しくする調節作業も面倒であった。
【０００５】
この発明は、簡単な作業により複数のコンクリート埋設物を良好な状態で支持することを目的としている。
【課題を解決するための手段】
【０００６】
後記実施形態の図面（図１〜６）の符号を援用して本発明を説明する。
請求項１〜３の発明にかかるコンクリート埋設物支持構造は、下記の共通構成を有している。
【０００７】
このコンクリート埋設物支持構造においては、支持バー（１０）によりコンクリート埋設物（例えば、配線ボックス１ａ，１ｂの場合、ボックス本体ばかりではなく、そのボックス本体に取り付けられるカバーや配線接続部材などの付属物も含む概念）を支持する。この支持バー（１０）の一端部（１１）と他端部（１２）との間に係合部（係合面１６）を設けるとともに、第一及び第二のコンクリート埋設物（１ａ，１ｂ）には、この支持バー（１０）が挿通される挿通部（３）と、この挿通部（３）に挿通された支持バー（１０）の係合部（１６）に係合する被係合部（被係合面９）とを設けている。この支持バー（１０）の一端部（１１）側から第一のコンクリート埋設物（１ａ）の挿通部（３）を支持バー（１０）に挿通するとともに、この支持バー（１０）の他端部（１２）側から第二のコンクリート埋設物（１ｂ）の挿通部（３）を支持バー（１０）に挿通して、この両コンクリート埋設物（１ａ，１ｂ）の被係合部（９）を支持バー（１０）の係合部（１６）に係合させている。
【０００８】
さらに、請求項１の発明では、前記両コンクリート埋設物（１ａ，１ｂ）の被係合部（９）と前記支持バー（１０）の係合部（１６）との係合で、両コンクリート埋設物（１ａ，１ｂ）が互いに近接する向き（Ｘａ，Ｘｂ）へ移動するのを規制することにより、両コンクリート埋設物（１ａ，１ｂ）間の間隔（Ｇ）を保持するように両コンクリート埋設物（１ａ，１ｂ）を支持する。そのため、両コンクリート埋設物（１ａ，１ｂ）を互いに並べて配設する場合、両コンクリート埋設物（１ａ，１ｂ）が互いに近接する向き（Ｘａ，Ｘｂ）へ移動するのを規制する移動規制手段（Ｍ）により、支持バー（１０）に対し両コンクリート埋設物（１ａ，１ｂ）を正しい位置（前記係合部としての係合面１６と前記被係合部としての被係合面９とが互いに当接する位置）に積極的に設定して位置決めした状態のままで、支持バー（１０）を鉄筋(２０)に取着することができる。従って、両コンクリート埋設物（１ａ，１ｂ）の動きを確実に規制して両コンクリート埋設物（１ａ，１ｂ）を良好な状態で支持することができる。
【０００９】
さらに、請求項２の発明では、前記両コンクリート埋設物（１ａ，１ｂ）の被係合部（９）と前記支持バー（１０）の係合部（１６）との係合で、両コンクリート埋設物（１ａ，１ｂ）が支持バー（１０）の軸線（１０ａ）回りで回動するのを規制することより、両コンクリート埋設物（１ａ，１ｂ）が所定の位置関係を維持するように両コンクリート埋設物（１ａ，１ｂ）を支持する。ここに、両コンクリート埋設物（１ａ，１ｂ）の所定の位置関係とは、例えば両コンクリート埋設物が配線ボックス１ａ，１ｂの場合、コンクリート打設後にコンクリート構築物から露出する前面が、支持バー（１０）の軸線（１０ａ）に沿って横方向または縦方向に並んで、例えば一平面上で面一になることを意味する。そのため、両コンクリート埋設物（１ａ，１ｂ）を互いに並べて配設する場合、両コンクリート埋設物（１ａ，１ｂ）が支持バー（１０）の軸線（１０ａ）回りで回動するのを規制する回動規制手段（Ｒ）により、支持バー（１０）に対しコンクリート埋設物（１ａ，１ｂ）を正しい位置（前記係合部としての係合面１６と前記被係合部としての被係合面９とが互いに当接する位置）に積極的に設定して位置決めした状態のままで、支持バー（１０）を鉄筋(２０)に取着することができる。従って、両コンクリート埋設物（１ａ，１ｂ）の動きを確実に規制して両コンクリート埋設物（１ａ，１ｂ）を良好な状態で支持することができる。
【００１０】
さらに、請求項３の発明は、請求項１の発明と請求項２の発明とを組み合わせたものであって、両コンクリート埋設物（１ａ，１ｂ）をより一層良好な状態で支持することができる。
【００１１】
請求項１または請求項３の発明を前提とする請求項４の発明においては、前記支持バー（１０）の一端部（１１）側が第一のコンクリート埋設物（１ａ）から突出する寸法（Ｌ１１）と、前記支持バー（１０）の他端部（１２）側が第二のコンクリート埋設物（１ｂ）から突出する寸法（Ｌ１２）とを互いに等しくした。請求項４の発明では、支持バー（１０）の両端部（１１，１２）を鉄筋(２０)に取着する際、両コンクリート埋設物（１ａ，１ｂ）を良好な状態で支持し易くなる。この場合、一端部（１１）側の寸法（Ｌ１１）と他端部（１２）側の寸法（Ｌ１２）とは完全に同一でなくてもよく、上記効果を奏する範囲で若干相違していてもよい。
【００１２】
請求項１または請求項３または請求項４の発明を前提とする請求項５の発明においては、第一のコンクリート埋設物（１ａ）と第二のコンクリート埋設物（１ｂ）との間の間隔（Ｇ）としてコンクリート流入隙間（Ｓ）をあけるようにこの両コンクリート埋設物（１ａ，１ｂ）を支持バー（１０）に配設した。請求項５の発明では、このコンクリート流入隙間（Ｓ）により、コンクリート打設時にコンクリートの流れを良くすることができる。
【００１３】
請求項１から請求項５のうちいずれかの請求項の発明を前提とする請求項６の発明において、前記支持バー（１０）は互いに間隔をあけて設けられた第一及び第二の係合部（１６）を有し、この支持バー（１０）の第一の係合部（１６）は前記第一のコンクリート埋設物（１ａ）の被係合部（９）に係合し、この支持バー（１０）の第二の係合部（１６）は前記第二のコンクリート埋設物（１ｂ）の被係合部（９）に係合する。請求項６の発明では、支持バー（１０）の係合部（１６）を簡単な構造にすることができる。
【００１４】
請求項１から請求項６のうちいずれかの請求項の発明を前提とする請求項７の発明において、前記両コンクリート埋設物（１ａ，１ｂ）の挿通部（３）は、そのコンクリート埋設物（１ａ，１ｂ）の壁（２）を切り起こすことにより、この壁（２）に形成した貫通孔（４）と、この貫通孔（４）に面して壁（２）から突出する膨出部（５）とを有し、この挿通部（３）の膨出部（５）の内側に形成した支持孔（６）に前記支持バー（１０）を挿通する。
【００１５】
請求項７の発明を前提とする請求項８の発明において、前記両コンクリート埋設物（１ａ，１ｂ）の挿通部（３）で膨出部（５）内の支持孔（６）は支持バー（１０）が挿通し得る両側の開口（７，８）を有し、前記両コンクリート埋設物（１ａ，１ｂ）の被係合部（９）はこの挿通部（３）において両開口（７，８）間で膨出部（５）の内面に形成されている。
【００１６】
請求項８の発明を前提とする請求項９の発明において、前記膨出部（５）内の被係合部（９）は、両開口（７，８）のうち一方の開口（７）から他方の開口（８）に至るほど、両開口（７，８）を結ぶ中心線（６ａ）に対し接近するように傾斜している。
【００１７】
請求項７〜９の発明では、挿通部（３）の被係合部（９）を簡単な構造にすることができる。
請求項８または請求項９の発明を前提とする請求項１０の発明において、前記支持バー（１０）は前記膨出部（５）の両開口（７，８）に挿通し得る棒状部（１３）を主体とし、この支持バー（１０）の係合部（１６）は、この棒状部（１３）から突出するように形成され、この両開口（７，８）のうち一方の開口（７）から挿入されて前記膨出部（５）内の被係合部（９）に係合し得る。
【００１８】
請求項１０の発明を前提とする請求項１１の発明において、前記支持バー（１０）の係合部（１６）は、前記棒状部（１３）を押し潰して成形した圧潰部（１４）に形成されている。
【００１９】
請求項１０〜１１の発明では、支持バー（１０）の係合部（１６）を簡単な構造にすることができる。
請求項１から請求項１１のうちいずれかの請求項の発明を前提とする請求項１２の発明において、前記支持バー（１０）はコンクリート構築物の支骨となる鉄筋（２０）に取着され、このコンクリート構築物を成形するための型枠（２１）に対し両コンクリート埋設物（１ａ，１ｂ）を支持バー（１０）の弾性力により押圧した。請求項１２の発明では、両コンクリート埋設物（１ａ，１ｂ）の動きをより一層確実に規制して両コンクリート埋設物（１ａ，１ｂ）を良好な状態で支持することができる。
【００２０】
請求項１３〜１５の発明にかかるコンクリート埋設物（１ａ，１ｂ）の支持バー（１０）は、下記の共通構成を有している。
コンクリート埋設物（１ａ，１ｂ）を支持する支持バー（１０）は、第一のコンクリート埋設物（１ａ）に設けられた挿通部（３）に挿通される一端部（１１）と、第二のコンクリート埋設物（１ｂ）に設けられた挿通部（３）に挿通される他端部（１２）とを有し、この一端部（１１）と他端部（１２）との間には係合部（１６）を設けている。この支持バー（１０）の係合部（１６）は、支持バー（１０）の一端部（１１）側から挿通された第一のコンクリート埋設物（１ａ）に設けた被係合部（９）と、支持バー（１０）の他端部（１２）側から挿通された第二のコンクリート埋設物（１ｂ）に設けた被係合部（９）とに係合する。
【００２１】
さらに、請求項１３の発明では、前記支持バー（１０）の係合部（１６）に対する両コンクリート埋設物（１ａ，１ｂ）の被係合部（９）の係合により、前記両コンクリート埋設物（１ａ，１ｂ）が互いに近接する向き（Ｘａ，Ｘｂ）へ移動するのを規制することにより、両コンクリート埋設物（１ａ，１ｂ）間の間隔（Ｇ）を保持する。請求項１３の発明では、請求項１の発明と同様な効果を奏する支持バー（１０）を提供することができる。
【００２２】
さらに、請求項１４の発明では、前記支持バー（１０）の係合部（１６）に対する両コンクリート埋設物（１ａ，１ｂ）の被係合部（９）の係合により、前記両コンクリート埋設物（１ａ，１ｂ）が支持バー（１０）の軸線（１０ａ）回りで回動するのを規制することにより両コンクリート埋設物（１ａ，１ｂ）が所定の位置関係を維持する。請求項１４の発明では、請求項２の発明と同様な効果を奏する支持バー（１０）を提供することができる。
【００２３】
さらに、請求項１５の発明は、請求項１３の発明と請求項１４の発明とを組み合わせたものであって、請求項１及び請求項２の発明と同様な効果を奏する支持バー（１０）を提供することができる。
【発明の効果】
【００２４】
本発明は、簡単な作業により複数のコンクリート埋設物（１ａ，１ｂ）を良好な状態で支持することができる。
【発明を実施するための最良の形態】
【００２５】
以下、本発明の一実施形態にかかるコンクリート埋設物支持構造について図１〜５を参照して説明する。
図１で概略的に示すように、コンクリート埋設物としての両配線ボックス１ａ，１ｂは金属からなり、その裏壁２で四隅部にはそれぞれ挿通部３が設けられている。図３に示すように、この各挿通部３は、この裏壁２を切り起こすことにより、裏壁２に形成された貫通孔４と、この貫通孔４に面して裏壁２から外側へ突出する膨出部５とを有している。この膨出部５は略半円筒状をなし、この膨出部５内には支持孔６が貫通孔４と連通するように形成されている。この支持孔６の両側は略半円状の開口７，８で横向きに開放され、この両開口７，８のうち一方の開口７の直径が他方の開口８の直径よりも大きくなっている。この両開口７，８間で膨出部５の内面には被係合面９（被係合部）が形成されている。この被係合面９は、両開口７，８のうち一方の開口７（大径開口）から他方の開口８（小径開口）に至るほど、両開口７，８を結ぶ中心線６ａに対し接近するようにテーパ状に傾斜している。各挿通部３のうち、上側の両挿通部３と下側の両挿通部３とにおいては、それぞれ、支持孔６の中心線６ａが互いに一致して横方向へ延び、直径の小さい小径開口８がこの中心線６ａの方向で相対向している。なお、図示しないが、上側の両挿通部３と下側の両挿通部３とにおいては、それぞれ、両挿通部３を互いに分離することなくそれらの小径開口８を互いにつなぐように一連に形成してもよい。
【００２６】
また、図１に示すように、両端部１１，１２を有する支持バー１０は図２，３に示すように前記膨出部５で支持孔６の両開口７，８に対し共に挿通し得る棒状部１３（円形断面の丸棒）を主体とし、この棒状部１３の直径が前記小径開口８の直径よりも小さくなっている。この棒状部１３には支持バー１０の両端部１１，１２間で二つの圧潰部１４が押し潰されて板状に成形されている。この圧潰部１４において、厚さは棒状部１３の直径よりも小さくなっているが、逆に幅は棒状部１３の直径よりも大きくなっている。そのため、この圧潰部１４で幅方向の両側には係合突起１５（係合突部）が棒状部１３から突出するように形成されている。この両係合突起１５において棒状部１３の長手方向の両側で係合面１６（第一の係合部及び第二の係合部）が形成されている。ちなみに、この両圧潰部１４は所定間隔をあけて形成され、一方の圧潰部１４から支持バー１０の一端部１１までの距離と、他方の圧潰部１４から支持バー１０の他端部１２までの距離とは、互いに等しくなっている。図示しないが、両圧潰部１４を互いに分離することなくそれらを互いにつなぐように一連に形成してもよい。
【００２７】
前記両配線ボックス１ａ，１ｂの各挿通部３のうち、上側の両挿通部３と下側の両挿通部３とにおいて、それぞれ、図１に示すように前記支持バー１０を用意する。図２に示すように、この支持バー１０の一端部１１側を一方の配線ボックス１ａにおける一方の挿通部３で支持孔６に大径開口７から挿入するとともに、この支持バー１０の他端部１２側を他方の配線ボックス１ｂにおける一方の挿通部３で支持孔６に大径開口７から挿入する。その支持バー１０の一端部１１側及び他端部１２側は、図３に示すように、一方の挿通部３で支持孔６の小径開口８から引き出され、他方の挿通部３で支持孔６に小径開口８から挿入されるとともに支持孔６の大径開口７から引き出される。この支持バー１０の圧潰部１４は一方の挿通部３で支持孔６に大径開口７から挿入される。この圧潰部１４で両係合突起１５の係合面１６は一方の挿通部３で膨出部５内の被係合面９に引掛けられて当接する。この係合面１６及び被係合面９（移動規制手段Ｍ及び回動規制手段Ｒ）が互いに当接する正位置では、両配線ボックス１ａ，１ｂ間にある間隔Ｇのコンクリート流入隙間Ｓを保持するように両配線ボックス１ａ，１ｂが支持バー１０の両側で横方向に並んで配設され、支持バー１０の一端部１１側が挿通部３から突出する寸法Ｌ１１と、支持バー１０の他端部１２側が挿通部３から突出する寸法Ｌ１２とが互いに略等しくなる。両配線ボックス１ａ，１ｂ間の間隔Ｇを埋めるようにスペーサ１７や別の配線ボックスを介在させてもよい。この間隔Ｇについては、両配線ボックス１ａ，１ｂを互いに接触させた場合に零になる。
【００２８】
このようにして支持バー１０に対する両配線ボックス１ａ，１ｂの位置を設定した後に、その設定位置を維持したまま、図４に示すように、支持バー１０の一端部１１側と他端部１２側とをそれぞれ折り曲げて折曲部１８，１９を形成し、支持バー１０に対し両配線ボックス１ａ，１ｂを位置決めする。次に、この支持バー１０の一端部１１側と他端部１２側とをそれぞれ、コンクリート構築物の支骨となる鉄筋２０に対し締結索や溶接等により取着する。
【００２９】
このようにして両配線ボックス１ａ，１ｂを支持バー１０により鉄筋２０に支持した支持状態では、前記挿通部３の被係合面９と前記支持バー１０の係合面１６との当接により、両配線ボックス１ａ，１ｂが支持バー１０に対し支持バー１０の軸線１０ａの方向Ｘで互いに近接する向きＸａ，Ｘｂへ移動するのを規制するとともに支持バー１０の軸線１０ａ回りで回動するのを規制する。さらに、図５に示すように、コンクリート構築物を成形するための型枠２１に対し両配線ボックス１ａ，１ｂを支持バー１０の弾性力により押圧する。その場合、型枠２１に接触する両配線ボックス１ａ，１ｂの前面は、コンクリート打設後にコンクリート構築物から露出する。
【００３０】
図示しないが、両配線ボックス１ａ，１ｂを支持バー１０の両側で縦方向に配設できるように各挿通部３の開口７，８の向きを縦向きに変更してもよい。また、図示しないが、前記各挿通部３の被係合面９の形態については、その被係合面９を膨出部５の内面で傾斜状に形成する以外に、支持バー１０の圧潰部１４の両係合突起１５が支持バー１０の軸線１０ａの方向へ相対移動するのを規制するとともに支持バー１０の軸線１０ａ回りで相対回動するのを規制するように段差状に形成してもよい。さらに、図示しないが、両支持バー１０の係合面１６の形態については、棒状部１３に圧潰部１４を形成する以外に棒状部１３に折曲部を段差状に形成し、その段差状折曲部に合わせて各挿通部３の膨出部５の内面も段差状に形成してもよい。
【００３１】
図６に示す別例では、プラスチック製の両配線ボックス１ａ，１ｂにおいて裏壁２の両側に挿通部３が形成され、この両挿通部３内には支持孔６が縦方向に貫設されている。この両支持孔６の上下両端部両側には係合溝部２２が縦方向へ所定深さだけ形成され、この両係合溝部２２の最深部に段差状の被係合面９（被係合部）が形成されている。縦方向に並べた両配線ボックス１ａ，１ｂにおける両挿通部３の支持孔６を両支持バー１０に挿通すると、各支持バー１０の両圧潰部１４の係合突起１５が各支持孔６の係合溝部２２に係入されて各係合突起１５の係合面１６が各支持孔６の被係合面９に引掛けられて当接し、前記実施形態と同様に移動規制手段Ｍ及び回動規制手段Ｒとして機能する。
【図面の簡単な説明】
【００３２】
【図１】（ａ）は本実施形態にかかるコンクリート埋設物支持構造において二つの配線ボックス及び二本の支持バーを互いに分解して示す斜視図であり、（ｂ）はこの両配線ボックスの各挿通部のうち一つの挿通部を示す（ａ）の部分拡大斜視図であり、（ｃ）はこの両支持バーの圧潰部を示す（ａ）の部分拡大斜視図である。
【図２】（ａ）は図１（ａ）に示す両配線ボックスと両支持バーとを互いに組み付けて示す斜視図であり、（ｂ）はこの配線ボックスの挿通部に対する支持バーの挿通状態を示す（ａ）の部分拡大斜視図である。
【図３】（ａ）は図２（ａ）を背面側から見た部分断面図であり、（ｂ）は（ａ）のＡ−Ａ線部分断面図であり、（ｃ）は（ａ）のＢ−Ｂ線部分断面図である。
【図４】本実施形態において両配線ボックスを両支持バーにより鉄筋に支持した状態を示す部分斜視図である。
【図５】本実施形態において両支持バーにより鉄筋に支持した両配線ボックスをコンクリート構築物内に埋設した状態を示す部分断面図である。
【図６】（ａ）は本実施形態の別例において両配線ボックス及び両支持バーを正面側から見た断面図であり、（ｂ）は（ａ）の部分拡大断面図であり、（ｃ）は（ａ）の部分拡大平面図である。
【符号の説明】
【００３３】
１ａ，１ｂ…配線ボックス（コンクリート埋設物）、２…配線ボックスの裏壁、３…挿通部、４…貫通孔、５…膨出部、６…支持孔、６ａ…支持孔の中心線、７…開口、８…開口、９…挿通部の被係合面（移動規制手段及び回動規制手段の被係合部）、１０…支持バー、１０ａ…軸線、１１…支持バーの一端部、１２…支持バーの他端部、１３…棒状部、１４…圧潰部、１６…支持バーの係合面（移動規制手段及び回動規制手段の係合部）、２０…鉄筋、２１…型枠、Ｍ…移動規制手段、Ｒ…回動規制手段、Ｘａ，Ｘｂ…向き、Ｇ…間隔、Ｓ…コンクリート流入隙間、Ｌ１１，Ｌ１２…寸法。
【図１】
2005163277.tif 000003
【図２】
2005163277.tif 000004
【図３】
2005163277.tif 000005
【図４】
2005163277.tif 000006
【図５】
2005163277.tif 000007
【図６】
2005163277.tif 000008